(57)【要約】【課題】本発明は、構造が簡単であり、容易に組み立てることができる放熱装置を提供することを目的とする。【解決手段】本発明に係る放熱装置は、底板及び底板に直交する２つの対向する第一側板を含み、２つの第一側板には少なくとも１つの係止部がそれぞれに設けられる固定ホルダーと、基板及び基板の上面に直交して形成される複数の放熱フィンを含み、基板の２つの対向する第一側縁には少なくとも１つの切欠部がそれぞれに設けられる放熱器と、を備え、放熱器は固定ホルダーの内部に固定され、放熱器の２つの第一側縁は固定ホルダーの２つの第一側板に当接され、且つ固定ホルダーの第一側板の係止部が放熱器の基板の上面における第一側縁に近い部分を係止する。【選択図】図１
2011238910.tif 000002
【特許請求の範囲】
【請求項１】
底板と、前記底板に直交する２つの対向する第一側板と、を含み、２つの前記第一側板には少なくとも１つの係止部がそれぞれに設けられる固定ホルダーと、
基板と、前記基板の上面に直交して形成される複数の放熱フィンと、を含み、前記基板の２つの対向する第一側縁には少なくとも１つの切欠部がそれぞれに設けられる放熱器と、
を備えてなる放熱装置であって、
前記放熱器は前記固定ホルダーの内部に固定され、前記放熱器の２つの第一側縁は前記固定ホルダーの２つの第一側板に当接し、且つ前記固定ホルダーの第一側板の係止部が前記放熱器の基板の上面における前記第一側縁を係止することを特徴とする放熱装置。
【請求項２】
前記固定ホルダーは、前記底板に直交する２つの対向する第二側板をさらに含み、２つの前記第一側板及び２つの前記第二側板が包囲することにより四角枠を形成し、
前記放熱器の基板は、２つの対向する第二側縁をさらに含み、
前記基板の２つの第二側縁は、前記固定ホルダーの２つの第二側板から離れていることを特徴とする請求項１に記載の放熱装置。
【請求項３】
前記底板には開口が設けられ、前記基板の下面には突起部が設けられ、前記突起部が前記開口を介してメインボードの発熱部品に接触することを特徴とする請求項２に記載の放熱装置。
【請求項４】
前記固定ホルダー内の前記放熱器を底板の面方向に移動して、前記放熱器の２つの第一側縁の切欠部と前記固定ホルダーの２つの第一側板の係止部との位置合わせをすると、前記放熱器を垂直方向上方に抜き取って前記固定ホルダーから取り外すことが可能であることを特徴とする請求項１〜３のいずれか１項に記載の放熱装置。
【発明の詳細な説明】
【技術分野】
【０００１】
本発明は、放熱装置に関するものである。
【背景技術】
【０００２】
コンピューターのメインボードに応用される放熱装置は、放熱器と、ホルダーと、ファスナーと、を備える。前記ファスナーは回動可能に前記ホルダーに設けられており、前記放熱器は前記ファスナーを介して前記ホルダーに固定され、前記ホルダーはねじによって前記メインボードに固定される。
【発明の概要】
【発明が解決しようとする課題】
【０００３】
前記放熱装置は、構造が複雑であり、組立過程が煩雑である。
【０００４】
本発明の目的は、前記課題を解決し、構造が簡単であり、容易に組み立てることができる放熱装置を提供することである。
【課題を解決するための手段】
【０００５】
本発明に係る放熱装置は、底板及び前記底板に直交する２つの対向する第一側板を含み、２つの前記第一側板には少なくとも１つの係止部がそれぞれに設けられる固定ホルダーと、基板及び前記基板の上面に直交して形成される複数の放熱フィンを含み、前記基板の２つの対向する第一側縁には少なくとも１つの切欠部がそれぞれに設けられる放熱器と、を備え、前記放熱器は前記固定ホルダーの内部に固定され、前記放熱器の２つの第一側縁は前記固定ホルダーの２つの第一側板に当接され、且つ前記固定ホルダーの第一側板の係止部が前記放熱器の基板の上面における前記第一側縁に近い部分を係止する。
【発明の効果】
【０００６】
本発明の放熱装置において、固定ホルダーの２つの第一側板に設けられた係止部が放熱器の基板を係止して、放熱器を固定ホルダーの内部に固定する。放熱器を底板の面方向に移動して、放熱器の２つの第一側縁に設けられた切欠部と固定ホルダーの２つの第一側板に設けられた係止部との位置合わせをした後に、放熱器を垂直方向上方に抜き取って、放熱器を固定ホルダーから取り外す。前記放熱装置は、構造が簡単であり、固定ホルダーに対する放熱器の着脱も容易である。
【図面の簡単な説明】
【０００７】
【図１】本発明の実施形態に係る放熱装置の立体分解図である。
【図２】図１に示す放熱装置の組立初期の側面図である。
【図３】図１に示す放熱装置の組立末期の側面図である。
【図４】図１に示す放熱装置の立体組立図である。
【図５】図１に示す放熱装置の組立初期の平面図である。
【図６】図１に示す放熱装置の組立末期の平面図である。
【発明を実施するための形態】
【０００８】
以下、図面を参照して、本発明の実施形態について説明する。
【０００９】
図１を参照すると、本発明の実施形態に係る放熱装置は、固定ホルダー１０及び放熱器２０を備える。
【００１０】
前記固定ホルダー１０は、四角形の底板１２と、前記底板１２の対向する前後２つの側辺から垂直方向上方に延設される互いに平行な２つの第一側板１４と、前記底板１２の対向する左右２つの側辺から垂直方向上方に延設される互いに平行な２つの第二側板１６と、を備える。前記第二側板１６の高さは、前記第一側板１４の高さより低い。２つの前記第一側板１４及び２つの前記第二側板１６が包囲することにより四角枠を形成する。前記底板１２には、四角形の開口１２０が開設されており、前記底板１２の底面の四隅には、それぞれ１つの固定柱１２２が設けられている。各々の前記第一側板１４の内表面の頂部からは前記四角枠の内側に向かって２つの楔形の係止部１４０が突出する。各々の前記係止部１４０は、前記第一側板１４０に直交する当止面及び前記第一側板１４０に対して斜設されるガイド面を備える。各々の前記係止部１４０の当止面と前記底板１２との間の間隔距離は等しく、且つ各々の前記係止部１４０の当止面は前記底板１２に平行する。
【００１１】
前記放熱器２０は、基板２２と、前記基板２２の上面に形成される複数の放熱フィン２４と、を備える。前記基板２２の下面には、突起部２６が設けられる（図２を参照）。前記基板２２は略四角形であり、前後の２つの第一側縁２２０及び左右の２つの第二側縁２２２を備える。前記基板２２の２つの第一側縁２２０には、それぞれ２つの切欠部２２４が設けられる。
【００１２】
図２〜図４を参照すると、前記放熱装置を組み立てる際、先ず前記固定ホルダー１０をメインボード１００の発熱部品１０１の上方に設置して、前記発熱部品１０１は前記底板１２の開口１２０を貫き、前記固定ホルダー１０の固定柱１２２は前記メインボード１００の固定孔１０２に固定する。本実施形態において、前記発熱部品１０１はノースブリッジ（Ｎｏｒｔｈ  Ｂｒｉｄｇｅ）チップであるが、他の実施形態において、前記発熱部品１０１は中央処理装置であることができる。次に、前記放熱器２０の突起部２６に放熱シリカゲル（ｓｉｌｉｃａ  ｇｅｌ）を塗布した後に、前記放熱器２０の１つの第一側縁２２０を前記固定ホルダー１０の１つの第一側板１４に当接し、且つ該第一側板１４の２つの係止部１４０の当止面の下方に位置させる。その後、前記放熱器２０の他の第一側縁２２０を、前記固定ホルダー１０の他の第一側板１４の２つの係止部１４０のガイド面に沿ってスライドさせて、前記放熱器２０を前記固定ホルダー１０の内部に設置する。この際、前記放熱器２０の基板２２の２つの第一側縁２２０は、前記固定ホルダー１０の２つの第一側板１４に当接し、前記基板２２の上面における２つの前記第一側縁２２０に近い部分は、前記固定ホルダー１０の４つの係止部１４０の当止面に係止され、前記基板２２の２つの第一側縁２２０の切欠部２２４は、前記固定ホルダー１０の２つの第一側板１４の係止部１４０から離間している（図５を参照）。前記放熱器２０の突起部２６は、前記発熱部品１０１に接触し、前記放熱器２０の２つの第二側縁２２２は、前記固定ホルダー１０の２つの第二側板１６から離間している。前記第二側板１６の高さは前記第一側板１４の高さより低いので、前記放熱装置の通風放熱に有益である。
【００１３】
前記放熱器２０を組み立てる際は、前記放熱器２０の２つの第一側縁２２０の切欠部２２４と前記固定ホルダー１０の２つの第一側板１４の係止部１４０との位置合わせをした後に、前記放熱器２０を前記固定ホルダー１０の内部に設置し、それから前記固定ホルダー１０の２つの第一側板１４に対して平行に前記放熱器２０を底板の面方向に移動する。前記放熱器２０の２つの第一側縁２２０の切欠部２２４は、前記固定ホルダー１０の２つの第一側板１４の係止部１４０から離れる。前記基板２２の上面における２つの前記第一側縁２２０に近い部分は、前記固定ホルダー１０の４つの係止部１４０の当止面に係止される。
【００１４】
図５及び図６を参照すると、前記放熱装置を取り外す際、先ず、前記固定ホルダー１０の２つの第一側板１４に対して平行に前記放熱器２０を底板の面方向に移動して、前記放熱器２０の２つの第一側縁２２０の切欠部２２４と前記固定ホルダー１０の２つの第一側板１４の係止部１４０との位置合わせをする。次に、前記固定ホルダー１０の底板１２から垂直方向上方に前記放熱器２０を抜き取って、前記固定ホルダー１０から前記放熱器２０を取り外す。その後に、前記メインボード１００から前記固定ホルダー１０を取り外す。
【００１５】
本発明の放熱装置において、前記固定ホルダー１０の２つの第一側板１４の係止部１４０は、前記放熱器２０の基板２２を係止して、前記放熱器２０を前記固定ホルダー１０の内部に固定する。前記放熱器２０を底板の面方向に移動して、前記放熱器２０の２つの第一側縁２２０の切欠部２２４と前記固定ホルダー１０の２つの第一側板１４の係止部１４０との位置合わせをした後に、前記放熱器２０を垂直方向上方に抜き取ることにより、前記固定ホルダー１０から前記放熱器２０を取り外す。本発明の放熱装置は、構造が簡単であり、固定ホルダーと放熱器との着脱が容易である。
【００１６】
以上、本発明を実施例に基づいて具体的に説明したが、本発明は上述の実施例に限定されるものではなく、その要旨から逸脱しない範囲において種々の変更が可能であることは勿論であって、本発明の技術的範囲は以下の特許請求の範囲から決まる。
【符号の説明】
【００１７】
１０  固定ホルダー
１２  底板
１４  第一側板
１６  第二側板
２０  放熱器
２２  基板
２４  放熱フィン
２６  突起部
１００  メインボード
１０１  放熱部品
１０２  固定孔
１２０  開口
１２２  固定柱
１４０  係止部
２２０  第一側縁
２２２  第二側縁
２２４  切欠部
【図１】
2011238910.tif 000003
【図２】
2011238910.tif 000004
【図３】
2011238910.tif 000005
【図４】
2011238910.tif 000006
【図５】
2011238910.tif 000007
【図６】
2011238910.tif 000008